(57)【要約】【課題】搬送経路の搬送方向に対して直交する両側の経路長さに差が生じた場合、調整することが可能である。【解決手段】原稿ｄを原稿搬送部４００により搬送し、読取部４２２で原稿の読み取りを行なう原稿搬送装置ＤＦにおいて、読取部４２２を形成する読取ガラス８３０と、読取ガラス８３０との間隙Ｄ１０で搬送経路Ｐ５を形成する読取ガイド部材８３１と、読取ガイド部材８３１の取付位置を調整可能とする取付位置調整機構Ｇとを有する。【選択図】図１０
2004297587.tif 000002
【特許請求の範囲】
【請求項１】
原稿を原稿搬送部により搬送し、読取部で原稿の読み取りを行なう原稿搬送装置において、
前記読取部を形成する読取ガラスと、
前記読取ガラスとの間隙で搬送経路を形成する読取ガイド部材と、
前記読取ガイド部材の取付位置を調整可能とする取付位置調整機構とを有することを特徴とする原稿搬送装置。
【請求項２】
前記読取部で画像を読み取り、その出力画像に歪みが生じた時に前記取付位置調整機構で前記読取ガイド部材の取付位置を調整することを特徴とする請求項１に記載の原稿搬送装置。
【請求項３】
前記取付位置調整機構は、前記搬送経路の搬送方向に対して直交する前記読取ガイド部材の一方側を装置骨格に固定し、他方側を前記装置骨格に取付位置を調整可能とし、
前記搬送経路の搬送方向に対して直交する両側の経路長さを等しくすることを特徴とする請求項乃至請求項３のいずれか１項に記載の原稿搬送装置。
【請求項４】
前記請求項１乃至請求項３のいずれか１項に記載の原稿搬送装置を備えてなることを特徴とする画像形成装置。
【発明の詳細な説明】
【０００１】
【発明の属する技術分野】
この発明は、電子写真複写機、プリンタ、ファクシミリ、これらの複数の機能を有する複合機や印刷機等の画像形成装置により画像を形成するために、原稿を搬送して画像読み込みを可能とする原稿搬送装置及び画像形成装置に関するものである。
【０００２】
【従来の技術】
このようなデジタル式の画像形成装置に備えられる原稿搬送装置では、給紙皿上に積載された原稿を１枚ずつ分離して原稿搬送部で搬送し、原稿を読取部で読取可能なものがある。
【０００３】
このような原稿搬送装置では、図１１に示すように、読取部１００には、読取ガラス１０１が配置され、この読取ガラス１０１に対向する位置に読取ガイド部材１０２が配置され、読取ガラス１０１と読取ガイド部材１０２との間隙１０３で搬送経路が形成され、この搬送経路を搬送される原稿ｄを読み取っている。
【０００４】
このような読取ガイド部材は読取位置下流側を支点として上流側に揺動自在となっており、読取ガイド部材を本体側に付勢して突き当てることで、突き当て部材により読取ガラスとの距離を一定に保つものが知られている（例えば、特許文献１）。
【０００５】
【特許文献１】
特開２００２−１４４９５号公報（第１〜第９頁、図１〜図１０）
【０００６】
【発明が解決しようとする課題】
このような構成では、読取部の隙間を管理して歪みの発生を防止するものであり、例えば原稿搬送装置の経時変化により、装置持体に歪みが生じ、搬送経路の搬送方向に対して直交する両側の経路長さ、即ち前奥の長さに差が生じた場合には調整することができないことがあった。
【０００７】
この発明は、かかる点に鑑みてなされたもので、搬送経路の搬送方向に対して直交する両側の経路長さに差が生じた場合、調整することが可能な原稿搬送装置及び画像形成装置を提供することを目的としている。
【０００８】
【課題を解決するための手段】
前記課題を解決し、かつ目的を達成するために、この発明は、以下のように構成した。
【０００９】
請求項１に記載の発明は、原稿を原稿搬送部により搬送し、読取部で原稿の読み取りを行なう原稿搬送装置において、
前記読取部を形成する読取ガラスと、
前記読取ガラスとの間隙で搬送経路を形成する読取ガイド部材と、
前記読取ガイド部材の取付位置を調整可能とする取付位置調整機構とを有することを特徴とする原稿搬送装置である。
【００１０】
この請求項１に記載の発明によれば、読取ガイド部材の取付位置を調整可能とすることで、画像読取装置が歪んだ場合でも常に搬送経路の長を一定に保つことが可能となり、簡単に調整して良好な画像を得ることができる。
【００１１】
請求項２に記載の発明は、前記読取部で画像を読み取り、その出力画像に歪みが生じた時に前記取付位置調整機構で前記読取ガイド部材の取付位置を調整することを特徴とする請求項１に記載の原稿搬送装置である。
【００１２】
この請求項２に記載の発明によれば、読取部で画像を読み取り、その出力画像に歪みが生じた時に取付位置調整機構で読取ガイド部材の取付位置を簡単に調整して良好な画像を得ることができる。
【００１３】
請求項３に記載の発明は、前記取付位置調整機構は、前記搬送経路の搬送方向に対して直交する前記読取ガイド部材の一方側を装置骨格に固定し、他方側を前記装置骨格に取付位置を調整可能とし、
前記搬送経路の搬送方向に対して直交する両側の経路長さを等しくすることを特徴とする請求項乃至請求項３のいずれか１項に記載の原稿搬送装置である。
【００１４】
この請求項３に記載の発明によれば、搬送経路の搬送方向に対して直交する両側の経路長さを等し、簡単に調整し良好な画像を得ることが可能となる。
【００１５】
請求項４に記載の発明は、前記請求項１乃至請求項３のいずれか１項に記載の原稿搬送装置を備えてなることを特徴とする画像形成装置である。
【００１６】
この請求項４に記載の発明によれば、前記請求項１乃至請求項３のいずれか１項に記載の原稿搬送装置を備え、搬送経路の搬送方向に対して直交する両側の経路長さに差が生じた場合、調整することが可能である。
【００１７】
【発明の実施の形態】
次に、この発明の原稿搬送装置を備えた画像形成装置の実施の形態を図面に基づいて説明するが、この発明は、この実施の形態に限定されない。
【００１８】
図１は用紙後処理装置ＦＳと原稿搬送装置ＤＦと画像読み取り装置（スキャナ）ＳＣとを装備した画像形成装置１の全体構成図である。
【００１９】
図示の画像形成装置本体１Ａは、画像処理部２、画像書き込み部３、画像形成部４、高圧電源部５、カセット給紙部６、定着装置７、排紙部８、自動両面コピーのための再搬送手段（ＡＤＵ）９を備えている。
【００２０】
画像形成装置本体１Ａの上部には、画像読み取り装置ＳＣと原稿搬送装置ＤＦが搭載されている。画像形成装置本体１Ａの図示の左上部の排紙部８側には、用紙後処理装置ＦＳが連結されている。
【００２１】
原稿搬送装置ＤＦの原稿台上に第１面を上向きにして載置された原稿ｄは、矢印方向に搬送され画像読み取り装置ＳＣの光学系により原稿の片面又は両面の画像が読みとられ、ＣＣＤイメージセンサＣ１に読み込まれる。
【００２２】
ＣＣＤイメージセンサＣ１により光電変換されたアナログ信号は、画像処理部２において、アナログ処理、Ａ／Ｄ変換、シェーディング補正、画像圧縮処理等を行った後、画像書き込み部３に信号を送る。
【００２３】
画像書き込み部３においては、半導体レーザからの出力光が画像形成部４の感光体ドラム４Ａに照射され、潜像を形成する。画像形成部４においては、帯電、露光、現像、転写、分離、クリーニング等の処理が行われ、カセット給紙部６から搬送された用紙Ｓに画像が転写される。画像を担持した用紙Ｓは、定着装置７により定着され、排紙部８から用紙後処理装置ＦＳに送り込まれる。或いは排紙路切り替え板８Ａにより再搬送手段９に送り込まれた片面画像処理済みの用紙Ｓは、再び画像形成部４において両面画像処理された後、排紙部８の排紙ローラ８Ｂにより用紙後処理装置ＦＳに送り込まれる。
【００２４】
用紙後処理装置ＦＳは、画像形成装置本体１Ａの左上部に着脱可能に装着される。用紙後処理装置ＦＳは、用紙搬送手段１０、排紙手段２０、後処理手段３０、昇降排紙手段４０からなり、これらは用紙後処理装置本体４５に配置される。
【００２５】
図１において、画像形成装置本体１Ａ内の右寄り側には、画像形成部４を中心にして、画像形成装置本体１Ａの高さ方向下方にカセット給紙部６が、上方に定着装置７、排紙部８が設けられている。この垂直配列構成により、ほぼ垂直方向の用紙搬送路▲１▼が形成される。カセット給紙部６から送り出された用紙Ｓは、この垂直上方の用紙搬送路▲１▼に沿って搬送されて画像形成装置本体１Ａ外に排出される。
【００２６】
この垂直方向用紙搬送路▲１▼にほぼ平行して、再搬送手段９による用紙搬送路▲２▼が形成されている。
【００２７】
上記の垂直方向の用紙搬送路▲１▼、▲２▼を形成することにより、カセット給紙部６から排紙部８に至る最短距離の用紙搬送路が構成される。
【００２８】
画像形成装置本体１Ａの図示の上方の空間部に用紙後処理装置ＦＳの用紙搬送手段１０が収容される。用紙搬送手段１０の用紙入口部１１は、画像形成装置本体１Ａの排紙部８の排紙ローラ８Ｂに接続する。また、この装着状態では、画像形成装置本体１Ａの図示の左上方の空間部に、用紙後処理装置ＦＳの排紙手段２０及び後処理手段３０が収容される。複数の排紙皿（ビンとも称す）４１と昇降駆動手段４２から成る昇降排紙手段４０は、後処理手段３０の図示左側に位置する。
【００２９】
次に、図２乃至図７に基づいて原稿搬送装置を説明する。図２は原稿搬送装置の断面図、図３は原稿搬送装置の平面図、図４は原稿搬送装置の要部の拡大図、図５は切換部の拡大図、図６は片面通紙経路を示す図、図７は両面通紙経路を示す図である。
【００３０】
原稿搬送装置ＤＦには、原稿給紙部２００、原稿排紙部３００及び原稿搬送部４００が配置されている。
【００３１】
原稿給紙部２００は、原稿を複数枚セット可能な給紙皿２０１を有し、この給紙皿２０１に原稿の幅方向に位置決めを行なう一対の規制板２０２が幅方向に移動可能に設けられている。また、給紙皿２０１には、原稿の長さ方向を検知する長さ方向検知手段Ｓ１１，Ｓ１２を構成するセンサが２箇所に配置されている。
【００３２】
原稿排紙部３００は、排紙皿３０１を有し、この排紙皿３０１は原稿給紙部２００の下方位置に配置されている。排紙皿３０１上に、原稿搬送部４００で片面が読み取られるように搬送され、または両面が読み取られるように搬送された原稿が排紙される。
【００３３】
原稿搬送部４００は、上流側の第１搬送路４１０と、下流側に分岐した第２搬送路４２０及び第３搬送路４３０と、排出部４４０とを有している。第１搬送路４１０には、可動押圧板４１１、ピックアップローラ４１２、分離搬送ローラ４１３、重送防止ローラ４１４が配置されている。可動押圧板４１１は毎給紙時に上昇して原稿をピックアップローラ４１２に押し当て分離搬送ローラ４１３に原稿を押圧し、分離搬送ローラ４１３及び重送防止ローラ４１４により原稿が１枚ずつ分離して搬送される。また、分離搬送ローラ４１３及び重送防止ローラ４１４の下流側には、原稿長さ検知手段Ｓ２１を構成するセンサが配置されている。
【００３４】
第２搬送路４２０には、レジストローラ４２１、読取部４２２、読取押えローラ４２３及び搬送ローラ４２４が配置されている。レジストローラ４２１の下流側には原稿先端検知手段Ｓ３１を構成するセンサが配置されている。レジストローラ４２１、読取押えローラ４２３及び搬送ローラ４２４は、原稿搬送方向に正回転可能である。
【００３５】
第３搬送路４３０には、搬送ローラ４３１及び反転部４３２が配置されている。反転部４３２は、反転ローラ４３３を有している。搬送ローラ４３１及び反転ローラ４３３は正逆回転可能である。排出部４４０には、排紙ローラ４４１が配置されている。
【００３６】
また、第１搬送路４１０には、第１搬送路４１０から下流側の第２搬送路４２０と第３搬送路４３０とに切り換え可能な第１切換部材４５０が備えられている。この第１切換部材４５０は、支持軸４５３と一体に回動可能に設けられている。支持軸４５３の一端部にはアーム４５３ａが設けられ、他端部にはアーム４５３ｂが設けられ、アーム４５３ａはバネ４５１により付勢され、第１切換部材４５０は第２搬送路４２０を開き、第３搬送路４３０を閉じるようになっている。また、アーム４５３ｂはソレノイド４５２によりバネ４５１に抗して作動し、ソレノイド４５２が作動すると第２搬送路４２０を閉じ、第３搬送路４３０を開くようになっている。
【００３７】
さらに、支持軸４５３には、一体に形成された第２切換部材４６０と第３切換部材４７０とが回動可能に軸支されている。第２切換部材４６０と第３切換部材４７０はバネ４７１により付勢され、第２切換部材４６０は第２搬送路４２０を開き、第３切換部材４７０が第３搬送路４３０を閉じるようになっている。
【００３８】
第２搬送路４２０には、第１搬送路４１０と第３搬送路４３０の両側から搬送を可能とする１方向に付勢された第２切換部材４６０が配置され、この第２切換部材４６０はバネ４７１により第１搬送路４１０からの搬送を許容し、第３搬送路４３０からの搬送を規制するように付勢されているが、第３搬送路４３０から原稿が搬送されると、この原稿の搬送によって自動的に開いて搬送可能である。
【００３９】
また、第３搬送路４３０には、第１搬送路４１０と第２搬送路４２０の両側から搬送を可能とする１方向に付勢された第３切換部材４７０が配置され、この第３切換部材４７０はバネ４７１により第１搬送路４１０からの搬送を規制し、第３搬送路４３０からの搬送を許容するように付勢されているが、第１搬送路４１０から原稿が搬送されると、この原稿の搬送によって自動的に開いて搬送可能である。
【００４０】
第１切換部材４５０、第２切換部材４６０及び第３切換部材４７０は、第１搬送路４１０、第２搬送路４２０、第３搬送路４３０の合流部に配置された同一軸の支持軸４５３を支点として開閉動作可能であり、１箇所で配置スペースの確保が容易で、小型化が可能である。
【００４１】
また、読取部４２２の下流側には、反転部４３２と排出部４４０とに切り換え可能な第４切換部材４９０が支持軸４９３と一体回転可能に備えられている。支持軸４９３の一端部にはアーム４９３ａが設けられ、他端部にはアーム４９３ｂが設けられ、アーム４９３ａはバネ４９１により付勢され、排出部４４０の入口４４０ａを開き、反転部４３２の入口４３２ａを閉じるようになっている。また、アーム４９３ｂはソレノイド４９２によりバネ４９１に抗して作動し、ソレノイド４９２が作動すると排出部４４０の入口４４０ａを閉じ、反転部４３２の入口４３２ａを開くようになっている。
【００４２】
この実施の形態で原稿ｄの片面の読み込みを行なう場合には、図６に示すように、原稿ｄの片面を読取部４２２で読み取り排紙する片面通紙経路Ｐ１を搬送する。
【００４３】
即ち、給紙皿２０１上に積載された原稿ｄを１枚ずつ分離して搬送し、第１切換部材４５０は第３搬送路４３０を閉じているから、原稿ｄは第１搬送路４１０から第２搬送路４２０に搬送され、読取部４２２で原稿ｄの片面を読み取りを行なう。この読み取りが行なわれた原稿ｄは、第４切換部材４９０が反転部４３２の入口４３２ａを閉じ、排出部４４０の入口４４０ａを開いているから、排出部４４０を通って排紙皿３０１上に排紙される。
【００４４】
原稿ｄの両面の読み込みを行なう場合には、図７に示すように、原稿ｄの片面を反転部４３２に導き反転して搬送し、読取部４２２で読み取り反転部４３２に導き、この反転部４３２で再度反転して搬送し、原稿ｄの他方の片面を読取部４２２で読み取り排紙する両面通紙経路Ｐ２を搬送する。
【００４５】
即ち、給紙皿２０１上に積載された原稿ｄを１枚ずつ分離して搬送し、ソレノイド４５２が作動して第１切換部材４５０は第３搬送路４３０を開いており、原稿ｄは第１搬送路４１０から第３搬送路４３０に搬送される。第３搬送路４３０に配置される第３切換部材４７０は、第３搬送路４３０を閉じているが、搬送される原稿ｄによって押されてバネ４７１に抗して開き、原稿ｄが通過すると閉じる。
【００４６】
この第３搬送路４３０では搬送ローラ４３１及び反転部４３２の反転ローラ４３３が正転して原稿ｄを搬入し、この搬送ローラ４３１及び反転ローラ４３３が逆転して原稿ｄをスイッチバックして搬送し、第２切換部材４６０及び第３切換部材４７０を介して第３搬送路４３０から第２搬送路４２０に搬送され、読取部４２２で原稿ｄの片面を読み取る。
【００４７】
この原稿ｄをスイッチバックして搬送する状態では、第２切換部材４６０及び第３切換部材４７０は、バネ４７１によって初期位置にあり、スイッチバックして搬送される原稿ｄは、第３切換部材４７０に案内されて第２切換部材４６０を押す。第２切換部材４６０は、搬送される原稿ｄによって押されてバネ４７１に抗して開き、原稿ｄが通過すると閉じる。
【００４８】
この読み取りが行なわれた原稿ｄは、ソレノイド４９２が作動して第４切換部材４９０が反転部４３２の入口４３２ａを開き、排出部４４０の入口４４０ａを閉じているから、反転部４３２の入口４３２ａを通って反転部４３２に送られる。そして、搬送ローラ４３１及び反転ローラ４３３が逆転して原稿ｄをスイッチバックして搬送し、第２切換部材４６０及び第３切換部材４７０を介して第３搬送路４３０から第２搬送路４２０に搬送され、読取部４２２で原稿ｄの他方の片面を読み取る。
【００４９】
この読み取りが行なわれた原稿ｄは、第４切換部材４９０が反転部４３２の入口４３２ａを閉じ、排出部４４０の入口４４０ａを開いているから、排出部４４０を通って排紙皿３０１上に排紙される。
【００５０】
この原稿ｄの片面と原稿ｄの両面とを読み取り可能な原稿搬送装置は、読取部４２２の上流かつ反転部４３２の下流に配置した一対のローラにて原稿先端を突き当てて揃える原稿レジスト機構Ａを有し、この原稿レジスト機構Ａはレジストローラ４２１で構成される。原稿レジスト機構Ａを読取部４２２の上流かつ反転部４３２の下流に配置し、この原稿レジスト機構Ａの一対のローラにて原稿先端を突き当てて揃えることで、原稿ｄの片面、両面とも曲がりの補正を１箇所で処理できる。
【００５１】
この原稿レジスト機構Ａにより原稿ｄを揃える時に生じる原稿ｄのループを許容するレジストループ形成空間ＳＰ１が片面通紙経路Ｐ１に形成され、レジストループ形成空間ＳＰ２が両面通紙経路Ｐ２に形成され、原稿レジスト機構Ａにより原稿を揃える時に生じる原稿ｄのループをレジストループ形成空間ＳＰ１，ＳＰ２で許容することで、原稿ｄの片面、両面共に確実な曲がり補正ができる。
【００５２】
また、原稿レジスト機構Ａの上流側に原稿位置検知手段Ｓ４１が配置され、片面通紙経路Ｐ１と両面通紙経路Ｐ２との合流点直後に、原稿の位置を検知する原稿位置検知手段Ｓ４１を配置することで、原稿ｄの片面、両面共に原稿ｄの位置を検知することができる。
【００５３】
この実施の形態では、読取部４２２が図８乃至図１０に示すように構成され、図８は読取部の拡大側面図、図９は読取ガラス、読取ガイド部材及び取付位置調整機構を示す拡大側面図、図１０は取付位置調整機構の拡大側面図である。
【００５４】
この実施の形態の読取部４２２には、読取ガラス８３０が配置され、この読取ガラス８３０に対向して読取ガイド部材８３１が配置されている。この読取ガラス８３０と読取ガイド部材８３１との間隙Ｄ１０で搬送経路Ｐ５を形成している。
【００５５】
読取ガイド部材８３１は、樹脂で板状に一体形成され、中央部８３１ａが平面で読取ガラス８３０に対向している。読取ガイド部材８３１の前端部８３１ｂは、レジストローラ４２１の位置まで延びており、この前端部８３１ｂにはレジストローラ４２１が位置する切欠き部８３１ｂ１が形成されている。また、読取ガイド部材８３１の後端部８３１ｃは、搬送ローラ４２４の位置まで延びており、この後端部８３１ｃには搬送ローラ４２４が位置する切欠き部８３１ｃ１が形成されている。
【００５６】
この読取ガイド部材８３１には、図９及び図１０に示すように、搬送経路Ｐ５の搬送方向に対して直交する両側に一対の取付部８３１ｄ１，８３１ｄ２が形成されている。
【００５７】
この実施の形態では、読取ガイド部材８３１の取付位置を調整可能とする取付位置調整機構Ｇが備えられている。この取付位置調整機構Ｇは、搬送経路Ｐ５の搬送方向に対して直交する読取ガイド部材８３１の一方側の取付部８３１ｄ１をビス等の締付手段８８０によって装置骨格８８８の一方の側部８８８ａに固定し、他方側の取付部８３１ｄ２を取付位置調整ボルト８８９によって装置骨格８８８の他方の側部８８８ｂに形成した長孔８８８ｃに取り付けられている。
【００５８】
一方側の取付部８３１ｄ１が原稿搬送装置の奥側であり、締付手段８８０が下側から側部８８８ａに締め付け固定されている。他方側の取付部８３１ｄ２が原稿搬送装置の手前側であり、この取付部８３１ｄ２が手前側に延びており、この取付部８３１ｄ２の延出部８３１ｄ２２を装置骨格８８８の他方の側部８８８ｂに当てがい、この延出部８３１ｄ２２のネジ孔８３１ｄ２１に原稿搬送装置の手前側から取付位置調整ボルト８８９を長孔８８８ｃを通して容易に螺着される。
【００５９】
この他方の側部８８８ｂの長孔８８８ａは、読取ガラス８３０の搬送経路Ｐ５を形成する面に対して垂直方向に延びるように形成され、取付位置調整ボルト８８９を長孔８８８ａに沿って移動することで取付位置を調整可能であり、読取ガラス８３０と読取ガイド部材８３１との間隙Ｄ１０の奥側と手前側を等しくして搬送経路Ｐ５の搬送方向に対して直交する両側の経路長さを等しくすることができる。
【００６０】
例えば、原稿搬送装置の経時変化により、装置持体に歪みが生じ、搬送経路Ｐ５の搬送方向に対して直交する両側の経路長さ、即ち前奥の長さに差が生じた場合には、読取部４２２で画像を読み取り、その出力画像に歪みが生じることがある。このように出力画像に歪みが生じた時に、取付位置調整機構Ｇでは、取付位置調整ボルト８８９を緩めて長孔８８８ａに沿って移動することで取付位置を調整し、搬送経路Ｐ５の搬送方向に対して直交する両側の経路長さを等し、読取ガイド部材８３１の取付位置を簡単に調整して良好な画像を得ることができる。
【００６１】
この実施の形態では、一対の読取ガイド部材８３１により原稿ｄを、レジストローラ４２１であるローラ４２１ａ，４２１ｂから読取部４２２まで案内する。
【００６２】
このローラ４２１ａが従動側ローラで、ローラ４２１ｂが駆動側ローラであり、一対の読取ガイド部材８３１により一対のローラ４２１ａ，４２１ｂから読取部４２２までに曲率を有する搬送経路Ｐ５が形成され、この搬送経路Ｐ５により原稿ｄを搬送して読取部４２２で原稿の読み取りを行なう。
【００６３】
また、本発明の実施の形態では、複写機に接続した原稿搬送装置を示したが、プリンタ、ファクシミリ等の画像形成装置や、これらの複数の機能を有する複合機及び軽印刷機等と接続して使用する原稿搬送装置にも適用可能である。
【００６４】
【発明の効果】
前記したように、請求項１に記載の発明では、読取ガイド部材の取付位置を調整可能とすることで、画像読取装置が歪んだ場合でも常に搬送経路の長を一定に保つことが可能となり、簡単に調整して良好な画像を得ることができる。
【００６５】
請求項２に記載の発明では、読取部で画像を読み取り、その出力画像に歪みが生じた時に取付位置調整機構で読取ガイド部材の取付位置を簡単に調整して良好な画像を得ることができる。
【００６６】
請求項３に記載の発明では、搬送経路の搬送方向に対して直交する両側の経路長さを等し、簡単に調整し良好な画像を得ることが可能となる。
【００６７】
請求項４に記載の発明では、請求項１乃至請求項３のいずれか１項に記載の原稿搬送装置を備え、搬送経路の搬送方向に対して直交する両側の経路長さに差が生じた場合、調整することが可能である。
【図面の簡単な説明】
【図１】用紙後処理装置と原稿搬送装置と画像読み取り装置を装備した画像形成装置の全体構成図である。
【図２】原稿搬送装置の断面図である。
【図３】原稿搬送装置の平面図である。
【図４】原稿搬送装置の要部の拡大図である。
【図５】切換部の拡大図である。
【図６】片面通紙経路を示す図である。
【図７】両面通紙経路を示す図である。
【図８】読取部の拡大側面図である。
【図９】読取ガラス、読取ガイド部材及び取付位置調整機構を示す拡大側面図である。
【図１０】取付位置調整機構の拡大側面図である。
【図１１】従来の読取部の拡大側面図である。
【符号の説明】
ＤＦ  原稿搬送装置
１  画像形成装置
１Ａ  画像形成装置本体
４００  原稿搬送部
４２２  読取部
８３０  読取ガラス
８３１  読取ガイド部材
ｄ  原稿
Ｐ５  搬送経路
Ｄ１０  間隙
Ｇ  取付位置調整機構
【図１】
2004297587.tif 000003
【図２】
2004297587.tif 000004
【図３】
2004297587.tif 000005
【図４】
2004297587.tif 000006
【図５】
2004297587.tif 000007
【図６】
2004297587.tif 000008
【図７】
2004297587.tif 000009
【図８】
2004297587.tif 000010
【図９】
2004297587.tif 000011
【図１０】
2004297587.tif 000012
【図１１】
2004297587.tif 000013